(57)【要約】【課題】従来、空気調和機は、例えばＬＥＤランプなどを使ってその動作状態をユーザーに分かるように常時表示していた。しかしながら、このように動作状態を常時表示させる制御では、表示対象であるユーザーが不在の場合においても表示がなされることになり、無駄にエネルギーが使用されるという課題があった。【解決手段】人体検知センサを用いて、部屋に人がいないことを検知した場合には、動作状態の表示をさせないことで、適切な動作状態の表示と省エネの両方を実現することを可能とした。【選択図】図１
2009192132.tif 000002
【特許請求の範囲】
【請求項１】
人体検知用センサを用いて人が部屋に在室しているかどうかを検知する人体検知制御手段と空気調和機の動作状態を表示する表示部を備えた空気調和機において、空気調和機の運転中に前記人体検知制御手段により部屋に人がいないと判定された場合、空気調和機が運転中であっても、表示部を消灯することを特徴とした空気調和機。
【請求項２】
計時手段を備えた空気調和機において、消灯した表示部のランプを、あらかじめ設定した時間が経過した後、再び点灯させることで空気調和機の動作状態を表示することを特徴とした請求項１記載の空気調和機。
【請求項３】
操作手段を備えた空気調和機において、消灯した表示部のランプを、ユーザーが操作手段によって空気調和機を操作したときには、再び点灯させることで空気調和機の動作状態を表示することを特徴とした請求項１記載の空気調和機。
【請求項４】
空気調和機の運転中に前記人体検知制御手段により部屋に人がいないと判定され、表示部のランプを消灯した後、部屋に人が入室し、前記人体検知制御手段により部屋に人がいると判定された場合、再び点灯させることで空気調和機の動作状態を表示することを特徴とした請求項１記載の空気調和機。
【請求項５】
空気調和機の運転中に前記人体検知制御手段により部屋に人がいないと判定され、表示部のランプを消灯した後、空気調和機の運転状態が変化した場合、再び点灯させることで空気調和機の動作状態を表示することを特徴とした請求項１記載の空気調和機。
【発明の詳細な説明】
【技術分野】
【０００１】
本発明は再熱除湿機能を有する空気調和機に関するものである。
【背景技術】
【０００２】
従来、空気調和機は、例えばＬＥＤランプなどを使ってその動作状態をユーザーに分かるように常時表示していた。
【特許文献１】特開２００６−１６２１２５号公報
【発明の開示】
【発明が解決しようとする課題】
【０００３】
前記従来のように動作状態を常時表示させる制御では、ユーザーが不在の場合においても表示がなされていた。しかしながら、このような制御では表示対象がいない場合にも動作状態の表示がされることになり、無駄にエネルギーが使用されるという課題があった。
【課題を解決するための手段】
【０００４】
上記課題を解決するため、本発明においては、人体検知センサを用いて、部屋に人がいないことを検知した場合には、動作状態の表示をさせないことで、適切な動作状態の表示と省エネの両方を実現することを可能とした。
【発明の効果】
【０００５】
上記説明より明らかなように本発明は、人が部屋の中にいるときにのみ動作状態の表示を行うことで、電気代の削減、表示装置の長寿命化を実現できる。
【発明を実施するための最良の形態】
【０００６】
第１の発明は、人体検知用センサを用いて人が部屋に在室しているかどうかを検知する人体検知制御手段と空気調和機の動作状態を表示する表示部を備えた空気調和機において、空気調和機の運転中に前記人体検知制御手段により部屋に人がいないと判定された場合、空気調和機が運転中であっても、表示部を消灯することで、電気代の削減、表示装置の長寿命化を実現できる。
【０００７】
第２の発明は、計時手段を備えた、第１の発明において、消灯した表示部のランプを、あらかじめ設定した時間が経過した後、再び点灯させて空気調和機の動作状態を表示することで、電気代の削減、表示装置の長寿命化を実現できる。
【０００８】
第３の発明は、操作手段を備えた、第１の発明において、消灯した表示部のランプを、ユーザーが操作手段によって空気調和機を操作したときには、再び点灯させて空気調和機の動作状態を表示することで、電気代の削減、表示装置の長寿命化を実現できる。
【０００９】
第４の発明は、第１の発明において、空気調和機の運転中に前記人体検知制御手段により部屋に人がいないと判定され、表示部のランプを消灯した後、部屋に人が入室し、前記人体検知制御手段により部屋に人がいると判定された場合、再び点灯させて空気調和機の動作状態を表示することで、電気代の削減、表示装置の長寿命化を実現できる。
【００１０】
第５の発明は、第１の発明において、空気調和機の運転中に前記人体検知制御手段により部屋に人がいないと判定され、表示部のランプを消灯した後、空気調和機の運転状態が変化した場合、再び点灯させて空気調和機の動作状態を表示することで、電気代の削減、表示装置の長寿命化を実現できる。
【００１１】
以下、本発明の実施の形態について、図面を参照しながら説明する。なお、この実施の形態によって本発明が限定されるものではない。
【００１２】
（実施の形態１）
図１のフローチャートに示すように、空気調和機の運転が開始されたのち（ＳＴ１）、動作状態を表示するＬＥＤランプを点灯させる（ＳＴ２）。人体検知用センサによって室内の人体検知を行い（ＳＴ３）、室内に人体が検知されず、人体検知制御手段により人が不在であると判定された場合、動作状態表示用のＬＥＤランプを消灯させて運転を行う（ＳＴ４）。その結果、ＬＥＤランプの点灯時間を減少させることができ、省エネと表示装置の長寿命化を実現できる。
【００１３】
（実施の形態２）
図２のフローチャートに示すように、空気調和機の運転が開始されたのち（ＳＴ１）、動作状態を表示するＬＥＤランプを点灯させる（ＳＴ２）。人体検知用センサによって室内の人体検知を行い（ＳＴ３）、室内に人体が検知されず、人体検知制御手段により人が不在であると判定された場合、動作状態表示用のＬＥＤランプを消灯させて運転を行う（ＳＴ４）。動作状態表示用のＬＥＤランプが消灯されて運転が行われた後、あらかじめ設定された時間Ｓ１よりも経過時間が長くなった場合（ＳＴ６）、動作状態表示用ＬＥＤランプを再び点灯させて（ＳＴ７）、通常運転を行う（ＳＴ５）ことで、適切な動作状態表示と、省エネ、表示装置の長寿命化の両方を実現することができる。
【００１４】
（実施の形態３）
図３のフローチャートに示すように、空気調和機の運転が開始されたのち（ＳＴ１）、動作状態を表示するＬＥＤランプを点灯させる（ＳＴ２）。人体検知用センサによって室内の人体検知を行い（ＳＴ３）、室内に人体が検知されず、人体検知制御手段により人が不在であると判定された場合、動作状態表示用のＬＥＤランプを消灯させて運転を行う（ＳＴ４）。動作状態表示用のＬＥＤランプが消灯されて運転が行われた後、遠隔制御装置などによってユーザーによる操作が行われた場合（ＳＴ８）、動作状態表示用ＬＥＤランプを再び点灯させて（ＳＴ７）、通常運転を行う（ＳＴ５）ことで、適切な動作状態表示と、省エネ、表示装置の長寿命化の両方を実現することができる。
【００１５】
（実施の形態４）
図４のフローチャートに示すように、空気調和機の運転が開始されたのち（ＳＴ１）、動作状態を表示するＬＥＤランプを点灯させる（ＳＴ２）。人体検知用センサによって室内の人体検知を行い（ＳＴ３）、室内に人体が検知されず、人体検知制御手段により人が不在であると判定された場合、動作状態表示用のＬＥＤランプを消灯させて運転を行う（ＳＴ４）。動作状態表示用のＬＥＤランプが消灯されて運転が行われた後、再び室内の人体検知を行い（ＳＴ９）、人体を検知した場合、動作状態表示用ＬＥＤランプを再び点灯させて（ＳＴ７）、通常運転を行う（ＳＴ５）ことで、適切な動作状態表示と、省エネ、表示装置の長寿命化の両方を実現することができる。
【００１６】
（実施の形態５）
図５のフローチャートに示すように、空気調和機の運転が開始されたのち（ＳＴ１）、動作状態を表示するＬＥＤランプを点灯させる（ＳＴ２）。人体検知用センサによって室内の人体検知を行い（ＳＴ３）、室内に人体が検知されず、人体検知制御手段により人が不在であると判定された場合、動作状態表示用のＬＥＤランプを消灯させて運転を行う（ＳＴ４）。動作状態表示用のＬＥＤランプが消灯されて運転が行われた後、空気調和機の
動作状態が変化した場合（ＳＴ１０）、動作状態表示用ＬＥＤランプを再び点灯させて（ＳＴ７）、通常運転を行う（ＳＴ５）ことで、適切な動作状態表示と、省エネ、表示装置の長寿命化の両方を実現することができる。
【産業上の利用可能性】
【００１７】
以上のように、本発明にかかる空気調和機は、電気代の削減と、表示装置の長寿命化を実現できるので、室内、室外熱交換器、人体検知用センサ、運転状態表示装置を備えた機器に応用可能である。
【図面の簡単な説明】
【００１８】
【図１】本発明の実施の形態１におけるフローチャート
【図２】本発明の実施の形態２におけるフローチャート
【図３】本発明の実施の形態３におけるフローチャート
【図４】本発明の実施の形態４におけるフローチャート
【図５】本発明の実施の形態５におけるフローチャート
【符号の説明】
【００１９】
ＳＴ０１〜ＳＴ１０  フローチャート中のステップ
Ｓ１  設定経過時間
【図１】
2009192132.tif 000003
【図２】
2009192132.tif 000004
【図３】
2009192132.tif 000005
【図４】
2009192132.tif 000006
【図５】
2009192132.tif 000007